(57)【要約】電気的に駆動される歯ブラシ用の剛毛ヘッド振動機構を開示する。歯ブラシ剛毛ヘッドは伸長ハウジングの一方の端部に回転可能に配置される。駆動シャフトは伸長ハウジングの中に回転可能に配置され、ピボットアームの一方の端部に接続されたオフセット端部を有する。上記ピボットアームのもう一方の端部は上記歯ブラシ剛毛ヘッドに接続される。上記駆動シャフトが回転することにより伸長ハウジングに対する剛毛ヘッドの振動を生じるようにピボットアームを回転させる。
2004535264.tif 000002
【特許請求の範囲】
【請求項１】
電気的に駆動される歯ブラシのための剛毛ヘッド振動機構であって、
（ｉ）  その中に回転可能に取り付けられている駆動シャフト（２４）を有する伸長ハウジング（１６）と、
（ｉｉ）  前記伸長ハウジングの一方の端部に回転可能に配置されている剛毛ヘッド（１８）と、
（ｉｉｉ）  前記ハウジングから垂れ下がっているピボット軸（３２）の周りでピボット可能なピボットアーム（３０）であって、前記ピボットアームの一方の端部は、前記駆動シャフト（４４）の一方のオフセット端部に接続される駆動スロット（４０）であってそれによって前記ピボットアームを前記駆動シャフトに接続する前記駆動スロットと、前記剛毛ヘッドを係合するように適応された前記ピボットアームの反対側端部上にあるカップリングとを形成しており、前記カップリングには駆動ピン（３４）と噛み合い駆動スロット（３６）が含まれ、
前記ピボットアームは、前記剛毛ヘッドに接続している前記ピボットアームと前記ピボット軸との間の距離を特徴付ける第一長さと、
前記第一長さが前記第二長さよりも長い前記駆動シャフトに接続している前記ピボットアームと前記ピボット軸との間の距離を特徴付ける第二長さを有し、前記駆動シャフトの回転が前記伸長ハウジングとの関係で前記剛毛ヘッドの振動を生じさせるように前記ピボットアームを回転させる前記ピボットアームとから成る、前記剛毛ヘッド振動機構。
【請求項２】
前記剛毛ヘッドの前記振動が回転に関しては４０度未満ではないことを特徴とする請求項１に記載の前記装置。
【請求項３】
前記剛毛ヘッドに対向している前記伸長ハウジングの一方の端部から伸びている取り付け手段であって、前記取り付け手段は、電気的に駆動される歯ブラシの電力供給されたハンドルに開放可能に接続するように適応され、それによって前記伸長ハウジングは前記電力供給されているハンドルと機械的に相互接続され、前記駆動シャフトはそれによって回転時に駆動されるように適応される前記取り付け手段をさらに含む、請求項１に記載の前記装置。
【請求項４】
前記剛毛ヘッドは前記伸長ハウジングの前記より長い寸法に対して実質的に直交している回転軸を設けるように配置されることを特徴とする、請求項１に記載の前記装置。
【請求項５】
前記カップリングの前記駆動ピンは前記ピボットアームから伸びており、前記噛み合い駆動スロットは前記剛毛ヘッドの中に形成されることを特徴とする請求項１に記載の前記装置。
【請求項６】
電気的に駆動される歯ブラシのための剛毛ヘッド振動機構であって、
（ｉ）  その中に回転可能に取り付けられている駆動シャフト（２４）を有する伸長ハウジング（１６）と、
（ｉｉ）  前記伸長ハウジングの一方の端部に回転可能に配置されている剛毛ヘッド（１８）と、
（ｉｉｉ）  前記ハウジングから垂れ下がっているピボット軸（３２）の周りでピボット可能なピボットアーム（３０）であって、前記ピボットアームの一方の端部は、前記駆動シャフト（４４）の一方のオフセット端部に接続される駆動スロット（４０）であって、それによって前記駆動シャフト（４４）に前記ピボットアームを接続する前記駆動スロットと、前記ピボットアームを前記剛毛ヘッドに接続するために前記剛毛ヘッドの中に形成される噛み合い駆動スロット（３６）を係合するように前記ピボットアームの反対側の端部から伸びている駆動ピン（３４）とを形成し、
前記ピボットアームは、前記剛毛ヘッドに接続している前記ピボットアームと前記ピボット軸との間の距離を特徴付ける第一長さと、前記第一長さが前記第二長さよりも長い前記駆動軸に接続している前記ピボットアームと前期ピボット軸の間の距離を特徴付けている第二長さを有し、それによって前記駆動シャフトの回転が前記伸長ハウジングとの関係で前記剛毛ヘッドの振動を生じるように前記ピボットアームを回転させる前記ピボットアームと、から成る、前記剛毛ヘッド振動機構。
【請求項７】
前記剛毛ヘッドの前記振動が回転に関して４０度未満ではないことを特徴とする請求項６に記載の前記装置。
【請求項８】
前記剛毛ヘッドに対向している前記伸長ハウジングの一方から伸びている取り付け手段であって、前記取り付け手段は電気的に駆動される歯ブラシの電力供給されるハンドルに解放可能に接続するように適応され、それによって、前記伸長ハウジングは前記電力供給されているハンドルと機械的に相互接続され、また、前記駆動シャフトはそれによって回転時に駆動されるように適応される前記取り付け手段をさらに含む、請求項６に記載の前記装置。
【請求項９】
前記伸長ハウジングの上記より長い寸法に対して実質的に直交している回転軸を設けるように前記剛毛ヘッドは配置されることを特徴とする請求項６に記載の前記装置。
【請求項１０】
電気的に駆動される歯ブラシのための剛毛ヘッド振動機構であって、
（ｉ）  その中に回転可能に取り付けられている駆動シャフト（２４）を有する伸長ハウジング（１６）と、
（ｉｉ）  前記伸長ハウジングの一方の端部にある剛毛ヘット軸（３８）の周りに回転可能に配置されている剛毛ヘッド（１８）と、
（ｉｉｉ）  前記ハウジングから垂れ下がっているピボット軸（３２）の周りでピボット可能なピボットアーム（３０）であって、前記ピボットアームの一方の端部は、前記駆動シャフト（４４）の一方のオフセット端部に接続される駆動スロット（４０）であってそれによって前記駆動シャフトに前記ピボットアームを接続する前記駆動スロットと、前記剛毛ヘッド軸と前記ピボット軸との間に前記剛毛ヘッドを係合させるように適応させた前記ピボットアームの反対側端部上にあるカップリングとを形成し、前記カップリングには噛み合い駆動スロット（３６）を摺動可能に係合する駆動ピン（３４）が含まれ、
それによって、前記駆動シャフトの回転が前記伸長ハウジングとの関係で前記剛毛ヘッドの振動を生じるように前記ピボットアームを回転させる前記ピボットアームと、から成る、前記剛毛ヘッド振動機構。
【請求項１１】
前記ピボットアームが、前記剛毛ヘッドに接続している前記ピボットアームと前記ピボット軸との間の距離を特徴付ける第一長さと、前記第一長さが前記第二長さよりも長い、前記駆動シャフトに接続している前記ピボットアームと前記ピボット軸との間の距離を特徴付ける第二長さと、を有することを特徴とする請求項１０に記載の前記装置。
【請求項１２】
前記剛毛ヘッドの前記振動が回転に関して４０度未満ではないことを特徴とする請求項１０に記載の上記装置。
【請求項１３】
前記剛毛ヘッドの前記振動が回転に関して４０度未満ではないことを特徴とする請求項１１に記載の前記装置。
【請求項１４】
前記剛毛ヘッドに対向している前記伸長ハウジングの一方の端部から伸びている取り付け手段であって、前記取り付け手段は電気的に駆動される歯ブラシの電力供給されるハンドルに開放可能に接続するように適応され、それによって、前記伸長ハウジングは前記電力供給されているハンドルと機械的に相互接続され、また、前記駆動シャフトはそれによって回転時に駆動されるように適応される前記取り付け手段をさらに含む、請求項１０に記載の前記装置。
【請求項１５】
前記伸長ハウジングの前記より長い寸法に対して実質的に直交している回転軸を設けるように前記剛毛ヘッドは配置されることを特徴とする請求項１０に記載の前記装置。
【請求項１６】
前記伸長ハウジングの前記より長い寸法に対して実質的に直交している回転軸を設けるように前記剛毛ヘッドは配置されることを特徴とする請求項１１に記載の前記装置。
【請求項１７】
前記カップリングの前記駆動ピンは前記ピボットアームから伸びており、前記噛み合い駆動スロットは前記剛毛ヘッドの中に形成されることを特徴とする請求項１０に記載の前記装置。
【請求項１８】
電気的に駆動される歯ブラシのための剛毛ヘッド振動機構であって、
（ｉ）  その中に回転可能に取り付けられている駆動シャフト（２４）を有する伸長ハウジング（１６）と、
（ｉｉ）  前記伸長ハウジングの一方の端部にある剛毛ヘッド軸（３８）の周りに回転可能に配置されている剛毛ヘッド（１８）と、
（ｉｉｉ）  前記ハウジングから垂れ下がっているピボット軸（３２）の周りでピボット可能なピボットアーム（３０）であって、前記ピボットアームの一方の端部は前記駆動シャフト（４４）の一方のオフセット端部に接続される駆動スロット（４０）であってそれによって前記駆動シャフトに前記ピボットを接続する前記駆動スロットと、前記剛毛ヘッド軸と、前記剛毛ヘッドに前記ピボットアームを接続するために前記剛毛ヘッド軸から選択された距離にある前記ピボット軸との間にある前記剛毛ヘッドの中に形成された噛み合い駆動スロット（３６）を摺動可能に係合するよう前記ピボットアームの反対側端部から伸びている駆動ピン（３４）とを形成し、
それによって、前記駆動シャフトの回転が前記剛毛ヘッドに加えられる最適トルクを容易なものにする前記伸長ハウジングとの関係で前記剛毛ヘッドの振動を生じるように前記ピボットアームを回転させる前記ピボットアームと、から成る、前記剛毛ヘッド振動機構。
【請求項１９】
前記ピボットアームが、前記剛毛ヘッドに接続している前記ピボットアームと、前記ピボット軸との間の距離を特徴付ける第一長さと、前記第一長さが前記第二長さよりも長い、前記ピボット軸と前期駆動シャフトに接続している前記ピボットアームとの間の距離を特徴付ける第二長さとを有することを特徴とする請求項１８に記載の前記装置。
【請求項２０】
前記剛毛ヘッドの前記振動が回転に関して４０度未満ではないことを特徴とする請求項１８に記載の上記装置。
【請求項２１】
前記剛毛ヘッドの前記振動が回転に関して４０度未満ではないことを特徴とする請求項１９に記載の上記装置。
【請求項２２】
前記剛毛ヘッドに対向している前記伸長ハウジングの一方の端部から伸びている取り付け手段であって、前記取り付け手段は電気的に駆動される歯ブラシの電力供給されるハンドルに開放可能に接続するように適応され、それによって、前記伸長ハウジングは前記電力供給されているハンドルと機械的に相互接続され、また、前記駆動シャフトはそれによって回転時に駆動されるように適応される前記取り付け手段をさらに含む、請求項１８に記載の前記装置。
【請求項２３】
前記伸長ハウジングの上記より長い寸法に対して実質的に直交している回転軸を設けるように前記剛毛ヘッドは配置されることを特徴とする請求項１８に記載の前記装置。
【請求項２４】
前記伸長ハウジングの上記より長い寸法に対して実質的に直交している回転軸を設けるように前記剛毛ヘッドは配置されることを特徴とする請求項１９に記載の前記装置。
【発明の詳細な説明】
【技術分野】
【０００１】
本発明は電気的に作動する歯ブラシに関し、また、さらに詳細には、電気的に作動する歯ブラシ用の振動ヘッド機構に関する。
【背景技術】
【０００２】
電気的に作動する歯ブラシは、剛毛ヘッドが当てられる歯に対して洗浄作用を提供するために歯ブラシの剛毛ヘッドと歯ブラシのハンドルとの間の運動を効果的なものにするよう作動可能である機械化された剛毛ヘッドを有する、歯を洗浄するための装置を提供する。電気的に作動する歯ブラシは、歯ブラシにより洗浄されるものである歯に剛毛ヘッドを当てる洗浄作動を開始するために剛毛ヘッドと歯ブラシハンドルとの間の運動の特定範囲を提供する。
【０００３】
上記剛毛ヘッドに振動運動を供給する電気歯ブラシが、例えば、ＭｃＤｏｕｇａｌｌに付与された米国特許第５，６２５，９１６号を含む先行技術では説明されている。ＭｃＤｏｕｇａｌｌの開示は、電気モーターにより駆動されるヘッドに接続されている回転シャフトの回転により作動可能となっている振動ヘッドを有する電気的に駆動される歯ブラシを記載している。
【０００４】
ＭｃＤｏｕｇａｌｌの機構は剛毛ヘッドに対して振動の限られた範囲を提供している。歯ブラシの剛毛ヘッドから伸びている剛毛が柔軟であるため、ユーザーの歯に接触する剛毛のもう一方の端部の部分の動きあるいは運動は剛毛ヘッドにより剛毛に対して付与された動きに比べると減少される。ユーザーの歯の洗浄を促進するためには、ユーザーの歯と歯肉組織への歯ブラシの剛毛の有効な相対的運動あるいは洗浄接触を有することが望ましい。
【０００５】
剛毛の柔軟性のため、剛毛ヘッドの運動が制限されている範囲により、歯ブラシの剛毛がユーザーの歯あるいは歯肉に当てられるときに、剛毛の端部固定という結果を生じうる。剛毛端部固定により、洗浄されるように要求されている歯と口腔表面に対する歯ブラシ剛毛端部のロッキング運動が有効にはならないという望ましくない結果がもたらされる。
【発明の開示】
【発明が解決しようとする課題】
【０００６】
洗浄されるべき歯と口腔表面に係合しているときに歯ブラシの剛毛により加えられるブラシング作用を容易なものにするような電気歯ブラシの歯ブラシ剛毛ヘッドの運動の特定範囲を提供することが望ましい。
【課題を解決するための手段】
【０００７】
本発明の一つの目的は、歯ブラシハンドルに対して運動の有効な特定範囲の中で駆動される振動剛毛ヘッドを備えた電気的に作動可能な歯ブラシを提供することである。
【０００８】
本発明の態様の一つでは、本発明は、その中に回転可能に取り付けられている駆動シャフトを有する伸長ハウジングから成る電気的に駆動される歯ブラシ用の剛毛ヘッド振動機構を提供している。ある種の剛毛ヘッドは上記伸長ハウジングの一方の端部に回転可能に配置されており、また、上記ハウジングから垂れ下がっているピボット軸の周りでピボット可能であるピボットアームに接続されている。ピボットアームの反対側端部は、駆動シャフトと、剛毛ヘッドとにそれぞれ接続されている。駆動シャフトの回転が、伸長ハウジングに対する剛毛ヘッドの振動を有効なものにするため、ピボットアームを回転させる。
【０００９】
本発明の好適な実施態様は、同一の参照数字が図面のさまざまな図の全ての中で本発明の特徴のようなものを説明するのに使用される添付の図面を参照して、ここでは説明される。
【発明を実施するための最良の形態】
【００１０】
図１は、参照数字１０により全般的に参照される電気歯ブラシの立面図を示す。電気歯ブラシはハンドル部分１２を有し、そのハンドル部分は仮想概観形態線１３に示されている電気モーターを含む歯ブラシ原動機エレメントと、電源、典型的には仮想概観形態線１５に示されているバッテリーを収容する。上記歯ブラシ１０は、電気モーターの活性化を制御するための装置上に都合良く位置付けされている電源スイッチ１４を有する。電気歯ブラシには、電気歯ブラシのハンドル部分１２の一方の端部から伸びている剛毛ヘッドアセンブリ１６が含まれる。
【００１１】
一般的には、剛毛ヘッドアセンブリ１６は、代替を容易なものにするため、電気歯ブラシのハンドル部分１２上に取り外し可能に取り付けられる。ハンドル部分１２から離れて剛毛アセンブリ１６の端部は、洗浄されるべき歯と口腔表面にユーザーが当てる複数の剛毛クラスター２０用のマウントを設けている剛毛ヘッド１８を有する。
【００１２】
図２は、剛毛ヘッドアセンブリとハンドルとの間の機械的接続をもたらす電気歯ブラシのハンドル部分１２を開放可能に係合するように適応されている取り付けカップリング２２を有する剛毛ヘッドアセンブリ１６の正面図である。必要なときに、例えば、剛毛２０が磨耗されるときに、新しい剛毛ヘッドアセンブリ１６は、電気歯ブラシの最適オペレーションを維持するためにハンドル部分１２上に取り付けることができる。図３は図２の剛毛ヘッドアセンブリ１６の側面図である。
【００１３】
図４ａ、４ｂ、４ｃは剛毛ヘッドアセンブリ１６の後ろ側の断面図である。図４ａ、４ｂ、４ｃはそれぞれ駆動シャフト２４の異なる回転位置と、回転効果を説明する関連駆動装置と、剛毛ヘッドアセンブリ１６に関連して剛毛ヘッド１８のその結果生じる振動回転変位を図示する。駆動シャフト２４の端部には、剛毛ヘッド装置１６がその上に取り付けられるときに、電気歯ブラシ１０のハンドル１２の中にある上記原動機の回転駆動出力と一緒に連動するように適応される係合カップリング２６が含まれる。
【００１４】
作動時に、駆動シャフト２４は、上記原動機駆動モーターアセンブリにより回転時に、また、駆動シャフト２４の回転の経過時に駆動され、図面の図４ａ、４ｂ、４ｃに図示される上記３つの方向あるいは位置により回転する。係合カップリング２６から離れている駆動シャフト２４の上記端部は、ピボットアーム３０に接続される。上記好適な実施態様では、駆動軸２４は、ピボットアーム３０の一方の端部に形成される噛み合いピボット駆動スロット４０に接続するように適応されるオフセット端部２８を有する。
【００１５】
作動時に、駆動シャフト２４の回転は、ピボットアーム３０から伸びている一本の軸として、上記好適な実施態様の図面の中に描かれている、ピボット軸３２の回りにピボットアーム３０を振動運動で回転させる。図４ａに図示されている位置では、上記オフセット端部２８は、ピボット軸３２の回りにピボットアーム３０の最大時計回り回転に対応している一つの位置まで回転する。オフセット２８から離れているピボットアーム３０の上記端部は剛毛ヘッド１８に接続される。
【００１６】
上記好適な実施態様では、剛毛ヘッド１８へのピボットアーム３０の接続は、ピボットアーム３０と接続係合することにより剛毛ヘッド１８に付与されている振動回転運動に結果的になる剛毛ヘッド１８のヘッド駆動スロット３６に係合する駆動ピン３４により生じる。
【００１７】
図４は、駆動シャフト２４に関して別の回転方向にある剛毛ヘッドアセンブリの上記装置のそれぞれの方向を図示する。図４ａの上記方向から図４ｂの上記方向までの駆動シャフト２４をさらに回転させることにより、駆動シャフトオフセット端部２８がピボットアーム３０と駆動シャフト２４の間の軸方向に平行な関係になるまでピボットアーム３０を回転させる。
【００１８】
図４ｂの上記駆動シャフト回転の方向から、駆動シャフト２４をさらに回転させることにより、図４ｃの中に図示されているように配置されるべき上記剛毛ヘッドアセンブリの上記装置の上記それぞれの方向に結果的になる。
【００１９】
図４ｃの上記方向では、駆動シャフトオフセット端部２８は、図４ｃの中に図示されているように、回転の最大反時計回り回転ポイントに図４ｂの位置から反時計回りにピボットアーム３０を回転させる。駆動シャフト２４の連続回転は、図４ｂの上記実質的平行関係へ上記駆動シャフトオフセット端部２８を回帰させる。このように、上記駆動シャフト２４の回転は、ヘッドピン３８の周りに剛毛ヘッド１８を回転振動させる。
【００２０】
上記駆動シャフト２４の回転の方向は、本発明のオペレーションのやり方にとっては非常に重要なことではない。上記駆動シャフト２４の上記回転を参照した上記説明は図４ａと、４ｂと、４ｃから次々と結果として生じたものであったが、上記反対の回転方向も等しく適用可能であることが分かっている。すなわち、図４ｃ、４ｂ、４ａ全体を通じて上記剛毛ヘッドアセンブリ装置が順番に並べられている駆動シャフト２４の逆回転方向もまた、上記剛毛ヘッドアセンブリ１６に対する上記剛毛ヘッド１８の振動回転を生じるものとなる。
【００２１】
ピボットアーム３０のピボット運動に基づきその結果生じる剛毛ヘッド１８の振動を容易なものとするため、ヘッド駆動スロット３６は、一つの断面寸法では、すなわち、上記剛毛ヘッドに対して周辺にある寸法では、駆動ピン３４の幅に実質的に一致するように寸法取りされている。直交断面寸法では、すなわち、上記剛毛ヘッドに対して放射状になっている上記寸法では、ヘッド駆動スロット３６は、振動の作動範囲の全体を通じて剛毛ヘッド１８の動きに基づきその結果生じる駆動ピン３４の放射状変位を収容するのに十分な長さを有する。振動の作動範囲は、図４ａ、４ｂ、４ｃの中に図示されている。
【００２２】
図５ａと５ｂは、本発明の上記好適な実施態様の上記移動エレメントを図示しており、また、図６は、図２の切断線６−６にそっての上記剛毛ヘッドアセンブリの側面断面図を図示している。
【００２３】
図７は、参照数字３０により全般的に図示されている上記ピボットアームの側面図である。駆動シャフト２４はピボットアーム３０の一方の端部に接続される。オフセット端部２８から伸びている一つの駆動シャフト係合エレメント４４を受け入れるように寸法取りされているピボットアーム３０の中にピボット駆動スロット４０を供給することによりピボットアーム３０への駆動シャフト２４の接続は好適に生じる。
【００２４】
ピボット駆動スロット４０は、駆動シャフト係合エレメント４４の幅に実質的に一致している幅を有し、また、駆動シャフト２４の回転時に係合エレメント４４の上記垂直移動を収容するための長さを定義する上部と下部あし４２を有する。係合エレメント４４は、駆動シャフト２４の軸に平行して伸びるか、あるいは角度を付けることが可能である。係合エレメント４４が角度を付けられる場合は、ピボット軸３２の周りに上記ピボットアームのもっとも外側の時計回りあるいは反時計回りの角度変位でピボットアーム３０の上記角度変位と一致するように好適に角度を付けられる。
【００２５】
ピボット軸３２の周りにあるアーム３０の上記角度変位は図４ａと４ｃに図示されている。係合エレメント４４は角度が付けられている場合は、スロット４０の上部と下部あし４２もまた、係合エレメント４４の角度に対して一致するような角度を付けた傾きが設けられるのがよい。
【００２６】
図７にもっとも明確に図示されているように、ピボットアーム３０の駆動端部４６と駆動端部４８のそれぞれの相対的な長さＡとＢはさまざまに変化しうる。ピボットアーム３０の上記駆動端部と上記駆動端部の相対的な長さにより剛毛ヘッド１８の角度変位の上記振動範囲が制御される。上記好適な形状では長さBは長さAよりも長い。
【００２７】
上記好適な実施態様の上記形状では、ピボットアーム３０の上記レバー作用により、駆動端部４８が剛毛ヘッド１８に対して付与することが可能である角度変位の大きな範囲に変換される、ピボットアーム３０の駆動端部４６にオフセット２８が付与することができる角度変位の制限範囲を可能なものとする。この配置では、柔軟、中程度あるいは硬質の剛毛などのさまざまな可撓性を包含している可撓性剛毛で歯あるいは口腔表面を洗浄するための有効な回転を含む剛毛ヘッド１８の振動角度変位を容易に得ることができる。
【００２８】
図８は、剛毛ヘッド１８の一つの好適な実施態様の側面図を図示している。剛毛ヘッド１８は、剛毛ヘッドアセンブリ１６の対応する噛み合いホール３９（図６を参照）との係合を回転させるためのヘッドピン３８を有する。好適には、固定手段は、剛毛ヘッドアセンブリ１６の噛み合いホール３９に設けられている溝５０と対応する噛み合い弁座５２の形態であって、上記剛毛ヘッドアセンブリ上に剛毛ヘッド１８を保持している。
【００２９】
ヘッドスロット４８は上記歯ブラシの作動時にヘッドピン３８の周りに剛毛ヘッド１８の最適回転の変位を得るのに必要とされるヘッドピン３８からの半径距離Ｃで設けられる。半径距離Ｃは、剛毛ヘッド１８の上記振動における効果的な洗浄を実施する上記電気歯ブラシの上記原動機により剛毛ヘッド１８に加えられる最適トルクを容易なものにするために位置取りされている。
【００３０】
ヘッドスロット４０が上記ヘッドピン３８から離れている半径距離Ｃを増加させることにより、上記歯ブラシ原動機の与えられた電力出力に関して剛毛ヘッド１８に対して加えることができる上記トルクが増加されるが、剛毛ヘッド１８の回転変位の結果的に生じる減少を伴う。反対に、ヘッドスロット４０がヘッドピン３８から離れている半径変位距離Ｃを減少させることにより、上記歯ブラシ原動機の与えられた電力出力に関して剛毛ヘッド１８に対して加えられる上記トルクが減少されるが、剛毛ヘッド１８の上記角度変位の結果的に生じる増加を伴う。
【００３１】
ここでは、本発明は、ここに開示されている上記好適な実施態様を参照して、また、図面中で説明されており、無数の置換と機械的な均等物は当業者には生起する。本発明は上記正確な構造や本明細書に図示されている実施態様に限定されるわけではなく、むしろこれに添付されている請求項の中で定義される。
【図面の簡単な説明】
【００３２】
【図１】図１は、本発明の諸特徴を組み込んでいる電気歯ブラシの立面図である。
【図２】図２は、本発明の諸特徴を組み込んでいる電気歯ブラシの剛毛ヘッドアセンブリ部分の正面図である。
【図３】図３は、図２の剛毛ヘッドアセンブリの側面図である。
【図４】図４ａ、４ｂ、４ｃは、図３の切断線４−４にそっての剛毛ヘッドアセンブリの一つの好適な実施態様の断面図である。
【図５】図５ａと５ｂは、本発明の一つの好適な実施態様の駆動エレメントの回転方向を例示している側面図である。
【図６】図６は、図２の切断線６−６にそっての本発明の剛毛ヘッドアセンブリの一つの好適な実施態様の断面図である。
【図７】図７は、ピボットレバーの一つの好適な実施態様の一つの拡大図である。
【図８】図８は、剛毛ヘッドの立面図である。
【国際公開パンフレット】
2004535264.tif 000003
2004535264.tif 000004
2004535264.tif 000005
2004535264.tif 000006
2004535264.tif 000007
2004535264.tif 000008
2004535264.tif 000009
2004535264.tif 000010
2004535264.tif 000011
2004535264.tif 000012
2004535264.tif 000013
2004535264.tif 000014
2004535264.tif 000015
2004535264.tif 000016
2004535264.tif 000017
2004535264.tif 000018
2004535264.tif 000019
2004535264.tif 000020
2004535264.tif 000021
2004535264.tif 000022
【国際調査報告】
2004535264.tif 000023
2004535264.tif 000024